【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
流体調整器の流量ゲインを線形化する、コンピュータで実施される方法であって、
流体のテストフローに関連する動作時の流体調整器の性能を監視することなく、前記流体調整器に関する制御信号に対する前記流体調整器の第１流体調整器流量の第１特徴付けを求めることであって、前記第１流体調整器流量の特徴付けが、標準化動作環境内の前記流体調整器の動作に少なくとも部分的に基づくこと、
前記流体調整器に関する計画動作環境の特性を受け取ること、
前記第１特徴付けおよび受け取った前記計画動作環境の特性に少なくとも部分的に基づいて、前記制御信号に対する前記流体調整器の第２流体調整器流量の第２特徴付けを生成すること、および
前記流体調整器が計画動作環境によってモデル化される動作環境内で動作中に、前記制御信号に対する流体調整器の流体調整器流量ゲインを線形化することであって、前記制御信号に対する前記流量ゲインの線形化が、生成した前記第２特徴付けに基づくこと
を含む方法。
【請求項２】
前記第１流体調整器流量が、パーセント定格流量容量に対するパーセント定格移動を含む請求項１に記載の方法。
【請求項３】
前記第１特徴付けおよび前記第２特徴付けが、前記流体調整器に関する全動作範囲にわたるものである請求項１に記載の方法。
【請求項４】
前記流体調整器に関する全動作範囲が、最小パーセント・リフトおよび最大パーセント・リフトで定義される請求項３に記載の方法。
【請求項５】
第１流体調整器流量の第１特徴付けを求めることが、
前記流体調整器に関する前記標準化動作環境に基づいて、パーセント定格移動に対するパーセント定格流量容量曲線を識別すること、および
前記パーセント定格流量容量曲線を線形化するパーセント定格流量偏位曲線を求めること
を含む請求項１に記載の方法。
【請求項６】
前記制御信号に対する第２流体調整器流量の第２特徴付けを生成することが、定義済み動作範囲にわたって前記流体調整器流量ゲインを線形化する、前記制御信号に対する流体調整器部材移動を求めることを含む請求項１に記載の方法。
【請求項７】
前記制御信号に対する流体調整器部材移動を求めることが、流体調整器の両端間の第１圧力差の、前記流体調整器の両端間の第２圧力差に対する比に基づいて、前記制御信号に対する前記流体調整器部材移動を求めることを含む請求項６に記載の方法。
【請求項８】
前記第１圧力差が、高流量時の前記流体調整器の両端間の圧力差を含み、
前記第２圧力差が、低流量時の前記流体調整器の両端間の圧力差を含む請求項７に記載の方法。
【請求項９】
前記流体調整器の両端間の前記第１圧力差の、前記流体調整器の両端間の前記第２圧力差に対する比が、膨張係数比および上流側圧力比に基づいてスケーリングされる請求項７に記載の方法。
【請求項１０】
前記膨張係数比が、高流量時の膨張係数の、低流量時の膨張係数に対する比を含む請求項９に記載の方法。
【請求項１１】
標準化流体調整器動作環境内で動作する流体調整器に関する制御信号に基づいて、流体調整器の第１流体調整器流量を識別する流量識別モジュールと、
前記流体調整器の第１特徴付けおよび前記流体調整器の第２特徴付けを求める流体調整器特徴付けモジュールであって、前記第２特徴付けが、流体調整器が特定の動作環境内で動作するときに前記制御信号に対する前記流体調整器の流体調整器流量ゲインを線形化する際に使用されるように適合され、前記第１特徴付けが、流体のテストフローに関連する動作時の流体調整器の性能を監視することなく、前記流量識別モジュールによって識別される前記第１流体調整器流量に基づき、前記第２特徴付けが、動作環境をモデル化する計画動作環境および前記第１特徴付けに基づく流体調整器特徴付けモジュールと
を備える流体調整器特徴付けシステム。
【請求項１２】
前記第１流体調整器流量が、前記標準化流体調整器動作環境に基づくパーセント定格流量容量でのパーセント定格移動を含む請求項１１に記載の流体調整器特徴付けシステム。
【請求項１３】
前記第１特徴付けが、定義済み動作範囲にわたって前記第１流体調整器流量を線形化する第１流体調整器流量偏位を含む請求項１２に記載の流体調整器特徴付けシステム。
【請求項１４】
前記第２特徴付けが、定義済み動作範囲にわたって前記流体調整器流量ゲインを線形化する、前記制御信号に対する流体調整器部材移動を含む請求項１１に記載の流体調整器特徴付けシステム。
【請求項１５】
前記制御信号に対する前記流体調整器部材移動が、前記流体調整器の両端間の第１圧力差の、前記流体調整器の両端間の第２圧力差に対する比に基づく請求項１４に記載の流体調整器特徴付けシステム。
【請求項１６】
前記第１圧力差が高流量時の圧力差を含み、
前記第２圧力差が低流量時の圧力差を含む請求項１５に記載の流体調整器特徴付けシステム。
【請求項１７】
前記第１圧力差の、前記第２圧力差に対する比が、膨張係数比および上流側圧力比に基づいてスケーリングされる請求項１５に記載の流体調整器特徴付けシステム。
【請求項１８】
前記膨張係数比が、前記高流量時の膨張係数の、前記低流量時の膨張係数に対する比を含む請求項１７に記載の流体調整器特徴付けシステム。
【請求項１９】
前記上流側圧力比が、前記低流量時の上流側圧力に対する前記高流量時の前記上流側圧力を含む請求項１７に記載の流体調整器特徴付けシステム。
【請求項２０】
圧力源を受ける圧力空洞と、
制御信号を対応する制御圧に変換する、前記圧力空洞に接続された電気−圧力変換器であって、前記制御圧が、流体調整器部材の移動に対応する電気−圧力変換器と、
ｉ）流体調整器部材位置を示す信号を受け取り、ｉｉ）位置信号と、全流体調整器動作範囲にわたって位置信号に対する流体調整器流量ゲインを線形化する特徴付けとに基づいて制御信号を生成することにより、標準化動作環境内の位置信号に対する流体調整器流量ゲインの所定の線形化に基づいて前記流体調整器部材を配置する、前記電気−圧力変換器に接続されたプロセッサと
を備え、
前記特徴づけは、流体のテストフローに関連する動作時の流体調整器の性能を監視することなく行われる、
流体調整器制御システム。
【請求項２１】
前記特徴付けが、標準化流体調整器動作環境および前記制御信号に対する流体調整器流量に基づく前記流体調整器流量ゲインの線形特徴付けを含む請求項２０に記載の流体調整器制御システム。
【請求項２２】
前記流体調整器流量が、パーセント定格流量に対するパーセント定格移動を含む請求項２１に記載の流体調整器制御システム。
【請求項２３】
全流体調整器動作範囲が、０パーセント流体調整器部材移動から１００パーセント流体調整器部材移動までの範囲を含む請求項２０に記載の流体調整器制御システム。
【請求項２４】
前記電気−圧力変換器から受けた前記制御圧を増幅する、前記電気−圧力変換器に接続された圧力増幅器と、
前記流体調整器部材を備える流体調整器と
をさらに備える請求項２０に記載の流体調整器制御システム。
【請求項２５】
流体調整器に関する制御信号に対する前記流体調整器の第１流体調整器流量の第１特徴付けを求める手段であって、前記第１流体調整器流量の特徴付けが、流体のテストフローに関連する動作時の流体調整器の性能を監視することなく行われる、手段と、
前記流体調整器に関する計画動作環境の特性を受け取る手段と、
前記第１特徴付けおよび前記計画動作環境の受け取った前記特性に基づいて、前記制御信号に対する前記流体調整器の第２流体調整器流量の第２特徴付けを生成する手段と、
前記流体調整器が計画動作環境によってモデル化される動作環境内で動作中に、前記制御信号に対する前記流体調整器の流体調整器流量ゲインを線形化する手段であって、前記制御信号に対する前記流量ゲインの線形化が、生成した前記第２特徴付けに基づく手段と
を備える流体調整器特徴付け装置。